(57)【要約】【課題】磁気カードをスキミングの被害から守ることができるとともに、犯罪者を捕えるのに貢献し、公正な社会の構築に寄与することができる磁気カードケースおよび磁気カード防犯システムを提供する。【解決手段】磁気カードケース１がケース本体２にダミー磁気情報の記録部３を有する。ケース本体２は、磁気カードが入る大きさの長方形状の袋から成る。ケース本体２は、記録部３は、細長い帯状でケース本体２の外側に設けられ、ケース本体２の長さ方向に伸びている。記録部３は、ダミー磁気情報の記録方向に基づき正逆位置を有し、幅方向の一方が上位置で他方が下位置となっている。ケース本体２は、両面に正逆位置が異なる複数本の記録部３を交互に有する。磁気情報読取装置がダミー磁気情報を読み取ったとき警告信号を出力する出力部を有する。【選択図】図１
2006189969.tif 000002
【特許請求の範囲】
【請求項１】
ケース本体にダミー磁気情報の記録部を有することを特徴とする磁気カードケース。
【請求項２】
前記記録部は正逆位置を有し、前記ケース本体の両面全体に正逆位置が異なる２つ以上の記録部を有することを特徴とする請求項１記載の磁気カードケース。
【請求項３】
前記ケース本体は内面が電磁波シールドで覆われ、前記記録部は前記ケース本体の両面に設けられていることを特徴とする請求項１または２記載の磁気カードケース。
【請求項４】
請求項１，２または３記載の磁気カードケースと、磁気情報読取装置とを有し、
前記磁気情報読取装置は前記ダミー磁気情報を読み取ったとき警告信号を出力する出力部を有することを、
特徴とする磁気カード防犯システム。
【発明の詳細な説明】
【技術分野】
【０００１】
本発明は、キャッシュカードやクレジットカードなどの磁気カードを収容するための磁気カードケースおよび磁気カード防犯システムに関する。
【背景技術】
【０００２】
近年、スキミングと呼ばれる手口により、他人のクレジットカードやキャッシュカードの磁気記録情報を不正に読み取り、コピーして使用する犯罪が増加している。このスキミングの被害から守るため、従来の磁気カードケースとして、電磁波シールドで覆うことにより、磁気情報読取装置でキャッシュカードの磁気情報を不正に読み取られないようにしたものがある（例えば、特許文献１参照）。
【０００３】
【特許文献１】実用新案登録第３１０２９６３号公報
【発明の開示】
【発明が解決しようとする課題】
【０００４】
しかしながら、従来の磁気カードケースでは、使用者をスキミングの被害から守ることはできるが、犯罪者を捕えて犯罪を防止する積極的な効果には欠けるという課題があった。
【０００５】
本発明は、このような課題に着目してなされたもので、磁気カードをスキミングの被害から守ることができるとともに、犯罪者を捕えるのに貢献し、公正な社会の構築に寄与することができる磁気カードケースおよび磁気カード防犯システムを提供することを目的としている。
【課題を解決するための手段】
【０００６】
上記目的を達成するために、本発明に係る磁気カードケースは、ケース本体にダミー磁気情報の記録部を有することを特徴とする。
本発明に係る磁気カードケースは、スキミングされたとき、記録部のダミー磁気情報がケース本体の内部の磁気カードの磁気情報の代わりに読み取られるので、磁気カードをスキミングの被害から守ることができる。また、ケース本体の内部の磁気カードの磁気情報が読み取られた場合でも、記録部のダミー磁気情報と磁気情報を混乱させることにより、磁気カードをスキミングの被害から守ることができる。スキミングされたダミー磁気情報がコピーされて使用されると、真正の磁気情報ではないため、犯罪と察知され、犯罪者を捕えるのに貢献することができる。ダミー磁気情報には、不正なコピーであることを明らかにする暗号を記録してあることが好ましい。なお、本発明に係る磁気カードケースは、独立したケースであっても、財布の内張りなど、他の物品の一部から成っていてもよい。
【０００７】
本発明に係る磁気カードケースにおいて、前記記録部は正逆位置を有し、前記ケース本体の両面全体に正逆位置が異なる２つ以上の記録部を有することが好ましい。この構成では、ケース本体の配置にかかわらず、記録部のダミー磁気情報が読み取りやすくなる。このため、コピーが作りやすくなり、犯罪者がコピーを利用して捕えられる可能性を高めることができる。なお、記録部は、スキミングされたとき、ダミー磁気情報だけでスキミング可能な容量を超えるよう１０個程度設けられていることが好ましい。
【０００８】
本発明に係る磁気カードケースにおいて、前記ケース本体は内面が電磁波シールドで覆われ、前記記録部は前記ケース本体の両面に設けられていることが好ましい。電磁波シールドは、磁気カードの磁気情報をスキミングしようとする電磁波を遮蔽するものである。この構成では、電磁波シールドにより、内部の磁気カードの磁気情報を確実に保護することができる。記録部はケース本体の両面に設けられているので、ケース本体の表裏を気にせずにバッグ等に収容することができる。
【０００９】
本発明に係る磁気カード防犯システムは、前述の磁気カードケースと、磁気情報読取装置とを有し、前記磁気情報読取装置は前記ダミー磁気情報を読み取ったとき警告信号を出力する出力部を有することを特徴とする。
本発明に係る磁気カード防犯システムは、スキミングにより前述の磁気カードケースの記録部からダミー磁気情報が読み取られ、そのコピーが使用されたとき、磁気情報読取装置がダミー磁気情報を読み取って、出力部から警告信号を出力する。これにより、犯罪者をより効果的に捕えることができる。
【発明の効果】
【００１０】
本発明によれば、磁気カードをスキミングの被害から守ることができるとともに、犯罪者を捕えるのに貢献し、公正な社会の構築に寄与することができる磁気カードケースおよび磁気カード防犯システムを提供することができる。
【発明を実施するための最良の形態】
【００１１】
以下、図面に基づき、本発明の実施の形態について説明する。
図１の（Ａ）は、本発明の実施の形態の磁気カードケースの正面図、（Ｂ）は他の態様を示す正面図、（Ｃ）は横断面図である。図２は磁気カードケースを用いた磁気カード防犯システムの構成図を示している。
【００１２】
図１に示すように、磁気カードケース１は、ケース本体２にダミー磁気情報の記録部３を有している。ケース本体２は、通常のキャッシュカードやクレジットカードなどの磁気カードが１枚または複数枚入る大きさの合成樹脂製の長方形状の袋から成っている。しかしながら、ケース本体２には、情報保護のため、磁気カードを１枚だけ入れるようにすることが好ましい。ケース本体２は、図１（Ａ）に示すように長さ方向に沿った縁部に開口４を有していても、図１（Ｂ）に示すように幅方向に沿った縁部に開口４ａを有していてもよい。
【００１３】
記録部３は、細長い帯状でケース本体２の外側に設けられ、ケース本体２の長さ方向に伸びている。ダミー磁気情報は、通常の磁気カードの磁気情報と同様の磁気情報に不正なコピーであることを明らかにする暗号を加えて成っている。暗号は、例えば、アスタリスクなどの記号情報や特定の数字から成る。通常の磁気カードのケース本体２は、記録部３の保護のため、外側表面および内側表面が合成樹脂でラッピングされている。記録部３は、ダミー磁気情報の記録方向に基づき正逆位置を有し、幅方向の一方が上位置で他方が下位置となっている。ケース本体２は、両面に正逆位置が異なる複数本、好ましくは１０本以上の記録部３を交互に有している。
【００１４】
磁気カード防犯システムは、磁気カードケース１と、磁気情報読取装置５とから成っている。
磁気情報読取装置５は、カードリーダー６などに補助装置として取り付けられる。磁気情報読取装置５は、ダミー磁気情報を読み取ったとき警告信号を出力する出力部を有している。出力部は、ランプ７と送信手段８とから成る。ランプ７は、ダミー磁気情報を読み取ったとき、点灯する。送信手段８は、ダミー磁気情報を読み取ったとき、警備会社に出動要請信号を送る。
【００１５】
次に、作用について説明する。
近年、スキマーと呼ばれるカードの磁気情報読取装置を用いて、カバンの上などから他人のクレジットカードやキャッシュカードの磁気記録情報を不正に読み取ってコピーを作り、他人の預金を勝手に引き出したり買物をしたりする犯罪、スキミングが横行している。スキミングは、磁気カード自体が盗難される場合と違って、被害に気付きにくく、犯人が捕まりにくいことから社会問題となっている。
【００１６】
図１に示す磁気カードケース１は、スキミングされたとき、記録部３のダミー磁気情報がケース本体２の内部の磁気カードの磁気情報の代わりに読み取られるので、中の磁気カードをスキミングの被害から守ることができる。また、万が一、ケース本体２の内部の磁気カードの磁気情報が読み取られた場合でも、記録部３のダミー磁気情報と磁気情報を混乱させることにより、磁気カードをスキミングの被害から守ることができる。さらに、ケース本体２の片面に１０本以上の記録部３が設けられていることにより、スキミングされたとき、ダミー磁気情報だけでスキミング可能な容量を超えることで、中の磁気カードの磁気情報まで読み取られるのを防ぎ、その情報を保護することができる。スキミングされたダミー磁気情報がコピーされて使用されると、真正の磁気情報ではないため、犯罪と察知され、犯罪者を捕えるのに貢献することができる。
【００１７】
記録部３はケース本体２の両面外側に設けられているので、ケース本体２の表裏を気にせずにバッグ等に収容することができる。ケース本体２は両面に正逆位置が異なる２つ以上の記録部３をそれぞれ有するので、ケース本体２の配置にかかわらず、記録部３のダミー磁気情報が読み取りやすくなっている。このため、コピーが作りやすくなり、犯罪者がコピーを利用して捕えられる可能性を高めることができる。
【００１８】
特に、磁気カード防犯システムによれば、スキミングにより磁気カードケース１の記録部３からダミー磁気情報が読み取られ、そのコピーが使用されると、図２に示すように、カードリーダー６などに補助装置として設けられた磁気情報読取装置５がダミー磁気情報を読み取って、ランプ７を点灯させ、送信手段８から警備会社に出動要請信号を送る。これにより、犯罪者をより効果的に捕えることができる。
【００１９】
なお、本発明の実施の形態の磁気カードケース１によれば、鉛などの電磁波シールドを使用しないことにより、軽量であり、廃棄するとき鉛公害を発生せず、可撓性を有して取扱いやすい利点がある。
【図面の簡単な説明】
【００２０】
【図１】本発明の実施の形態の磁気カード防犯システムの磁気カードケースの（Ａ）正面図、（Ｂ）他の態様を示す正面図、（Ｃ）横断面図である。
【図２】本発明の実施の形態の磁気カード防犯システムの構成図である。
【符号の説明】
【００２１】
１    磁気カードケース
２  ケース本体
３  記録部
４  開口
５  磁気情報読取装置
６  カードリーダー
７  ランプ
８  送信手段
【図１】
2006189969.tif 000003
【図２】
2006189969.tif 000004